(57)【要約】【課題】配線・配管材の引き出し作業を確実に行うことができる、配線・配管材の梱包装置を提供する。【解決手段】梱包装置１は、合成樹脂材料からなる通水管１の巻回束１ａを、その巻回束１ａの周方向に回動可能に収容する段ボール箱体３を備える。この段ボール箱体３は、矩形形状の六面体からなり、前記巻回束１ａの外周面１ｃと対向する四つの箱体周面３ｂ、３ｂのいずれか一の周面Ｘには、通水管１を、その端部から順に外に引き出すための引出部３ｃが備わる。この引出部３ｃは、前記一の周面Ｘの、巻回束１ａの回動軸心Ｊに直交する方向における中央部分に設けられる。そして、前記一の周面Ｘの、引出部３ｃを挟む両側部分を形成する壁は、閉じた状態が維持される閉鎖壁３ｅ、３ｅとなっている。【選択図】  図１
2004203392.tif 000002
【特許請求の範囲】
【請求項１】
周回状に巻回された配線・配管材の巻回束を梱包する梱包装置であって、
前記巻回束をその巻回束の周方向に回動可能に収容する段ボール箱体を備え、
前記段ボール箱体は、前記巻回束の各側面と対向する二つの箱体側面と、前記巻回束の外周面と対向してその外周面の四側方を覆う各箱体周面とからなり、
前記箱体周面のいずれか一の周面には、前記配線・配管材を、その端部から順に外に引き出すための引出部が備わり、
前記引出部は、前記一の周面の、前記巻回束の回動軸心に直交する方向における中央部分に設けられ、
前記一の周面の、前記引出部を挟む両側部分を形成する壁は、閉じた状態が維持される閉鎖壁となっていることを特徴とする、配線・配管材の梱包装置。
【請求項２】
前記引出部は、その引出部から手を挿入して前記配線・配管材の端部を掴み出すことが可能な大きさとなっていることを特徴とする、請求項１に記載の、配線・配管材の梱包装置。
【請求項３】
周回状に巻回された配線・配管材の巻回束を梱包する梱包装置であって、
前記巻回束をその巻回束の周方向に回動可能に収容する段ボール箱体を備え、
前記段ボール箱体は、前記巻回束の各側面と対向する二つの箱体側面と、前記巻回束の外周面と対向してその外周面の四側方を覆う各箱体周面とからなり、
前記箱体周面のいずれか一の周面には、前記配線・配管材を、その端部から順に外に引き出すための引出部が備わり、
前記引出部は、前記一の周面の、前記巻回束の回動軸心に直交する方向における一部分に設けられ、かつ、前記引出部は、その引出部から手を挿入して前記配線・配管材の端部を掴み出すことが可能な大きさとなっており、
前記一の周面の、前記引出部を除く部分を形成する壁は、閉じた状態が維持される閉鎖壁となっていることを特徴とする、配線・配管材の梱包装置。
【請求項４】
前記段ボール箱体は、矩形形状の六面体からなり、その六つの面が、二つの前記箱体側面と、四つの前記箱体周面とからなることを特徴とする、１ないし３のいずれか１項に記載の、配線・配管材の梱包装置。
【請求項５】
前記引出部には、その引出部を開閉する蓋が設けられていることを特徴とする、請求項１ないし４のいずれか１項に記載の、配線・配管材の梱包装置。
【請求項６】
前記一の周面には、前記蓋および前記閉鎖壁を形成すべく、前記箱体側面を形成する一方の側壁から延設されて折り曲げられる第１延設片と、前記箱体側面を形成する他方の側壁から延設されて折り曲げられ前記第１延設片の外側に重なる第２延設片とが備わり、
前記蓋と前記閉鎖壁とを区切るべく、前記第１延設片には、第１切込みが形成され、かつ、前記第２延設片には、第２切込みが形成されて、前記蓋は、前記第１延設片側の第１蓋と、前記第２延設片側の第２蓋とを備えるとともに、前記閉鎖壁は、前記第１延設片側の第１閉鎖壁と、前記第２延設片側の第２閉鎖壁とを備え、
前記第１切込みは、前記第２切込みよりも前記第２蓋側にずれた位置に設けられていることを特徴とする、請求項５に記載の、配線・配管材の梱包装置。
【請求項７】
前記側壁には、前記蓋を閉状態に保持するために、前記第１蓋と前記第２蓋とを挟み込むクリップの一片が通される通孔部が設けられていることを特徴とする、請求項６に記載の、配線・配管材の梱包装置。
【請求項８】
前記段ボール箱体には、前記蓋の閉状態および開状態を保持するための保持手段が設けられていることを特徴とする、請求項５または６に記載の、配線・配管材の梱包装置。
【請求項９】
前記配線・配管材は、架橋ポリエチレン等の合成樹脂材料からなる通水管であることを特徴とする、請求項１ないし８のいずれか１項に記載の、配線・配管材の梱包装置。
【発明の詳細な説明】
【０００１】
【発明の属する技術分野】
この発明は、配線・配管材を梱包する、配線・配管材の梱包装置に関するものである。
【０００２】
【従来の技術】
従来、例えば、架橋ポリエチレン製等の合成樹脂製の可撓性を備えた給水管は、数十ｍ単位の長尺体が巻回された状態で、樹脂バンドにより固定され、段ボール箱内に収容されていた。このように段ボール箱内に収容された給水管は、施工現場等において、巻回状態のまま段ボール箱内から取り出された。そして、この給水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
なお、給水管用の装置ではないが、ケーブルの収納装置として、例えば、図１２に示される収納装置があった（特許文献１の、段落番号０００６および図８参照）。この収納装置１１によると、ケーブル１２は、巻回された状態で、箱体１３内に収納されていた。そして、箱体１３は、横置きにされて、１つの壁面全体が開放され、その開放部分１４からケーブル１２が順次引き出された。
【０００４】
また、他に、ケーブルの収納装置として、例えば、図１３に示される収納装置があった（特許文献１の、段落番号００１８および図１参照）。この収納装置２１においても、ケーブル２２は、巻回された状態で、箱体２３内に収納されていた。そして、箱体１３は、縦置きにされて、壁面２３ａの下部に明けられた引出孔２３ｂから、ケーブル２２が順次引き出された。
【０００５】
【特許文献１】
特開平１０−２９１７３７号公報
【０００６】
【発明が解決しようとする課題】
ところで、前記従来の巻回状態の給水管にあっては、巻き癖が強く、巻回状態の給水管を、回転させずにそのまま引き出すと、前記巻き癖と引き出された給水管の捩れにより、この給水管を鞘管内に挿通することが困難であった。
【０００７】
そこで、例えば、複数人の作業者により、一人が巻回状態の給水管を回動可能に保持し、もう一人が給水管を先端側から順次引き出して鞘管内に挿通することで、その給水管を配管するようにしていた。また、別途、回転ドラムを用意し、段ボール箱内から取り出した巻回状態の給水管を、回転ドラムに装着し、その回転ドラムにより、巻回状態の給水管を回転させるようにして、給水管を先端側から引き出すこともあった。しかし、上記のいずれの引き出し方法も、複数人の作業者を必要としたり、回転ドラムを用意する必要があったりして、面倒で作業性が悪かった。
【０００８】
また、ケーブルの収納装置においては、ケーブルを収納する箱体が、段ボールで構成されると、強度を維持することが難しく、変形し易いという問題があった。例えば、前記箱体内で重いケーブル（内容物）を回動させて引き出す際、その引き出す力（縦置きの場合は、加えて内容物の自重）が支持軸を介して箱体に作用し、箱体が変形し、ケーブルの円滑な引き出しが妨げられる虞があった。
【０００９】
すなわち、図１２に示されるケーブル１２の収納装置１１のように、箱体１３の１つの壁面全体を開放させてケーブル１２を引き出すと、箱体１３が変形し易く、特に、この収納装置１１を縦置きにすると、その箱体１３の変形が著しくなる虞があった。
【００１０】
一方、図１３に示されるケーブル２２の収納装置２１においては、箱体２３の下部に、ケーブル２２が引き出される引出孔２３ｂが形成され、箱体２３全体として閉じた状態が維持されるため、強度的に強いが、引出孔２３ｂとケーブル束２２ａとの距離（ケーブル２２が巻回軌道から外れて引出孔２３ｂに至る距離）が長く、その間でケーブル２２が踊ったり撓んだりして、スムーズな引き出しが行えなかった。また、ケーブル２２の先端を把持する作業や、この先端を把持して引出孔２３ｂを通す作業、さらには、引き出されたケーブル２２を巻き戻すべくケーブル束２２ａを回転させる作業等が、極めて困難であった。
【００１１】
この発明は、上記した従来の問題点を解決するためになされたものであり、その目的とするところは、配線・配管材の引き出し作業を確実に行うことができる、配線・配管材の梱包装置を提供することにある。
【００１２】
【課題を解決するための手段】
この発明に係る配線・配管材の梱包装置は、前記目的を達成するために、次の構成からなる。すなわち、
請求項１に記載の発明に係る配線・配管材の梱包装置は、周回状に巻回された配線・配管材の巻回束を梱包する梱包装置であって、前記巻回束をその巻回束の周方向に回動可能に収容する段ボール箱体を備える。この段ボール箱体は、前記巻回束の各側面と対向する二つの箱体側面と、前記巻回束の外周面と対向してその外周面の四側方を覆う各箱体周面とからなる。そして、その箱体周面のいずれか一の周面には、前記配線・配管材を、その端部から順に外に引き出すための引出部が備わる。ここで、前記引出部は、前記一の周面の、前記巻回束の回動軸心に直交する方向における中央部分に設けられる。そして、前記一の周面の、前記引出部を挟む両側部分を形成する壁は、閉じた状態が維持される閉鎖壁となっている。
【００１３】
こうして、この梱包装置は、段ボール箱体を備え、この段ボール箱体に、周回状に巻回された配線・配管材の巻回束が、その巻回束の周方向に回動可能に収容される。このように、巻回束となった配線・配管材は、段ボール箱体に収容されて、保管されたり運搬されたりする。そして、配線・配管材を配線または配管する場合には、段ボール箱体内の配線・配管材を、その端部から順に、段ボール箱体に備わる引出部を通して、外に引き出すが、この引き出しに伴って、段ボール箱体内の巻回束が解かれるようにして回動する。ここで、引出部は、巻回束の外周面と対向してその外周面の四側方を覆う各箱体周面のいずれか一の周面の、前記巻回束の回動軸心に直交する方向における中央部分に設けられている。したがって、配線・配管材は、巻回束から離れて引出部に至る距離が短く、段ボール箱体内に収容されている配線・配管材の端部を引出部から容易に取り出すことができる。そして、配線・配管材を、引出部を通して順次引き出したり、反対に押し戻す際には、前述のように、配線・配管材が巻回束から離れて引出部に至る距離が短いため、その間で配線・配管材が踊ったり撓んだりするのを防ぐことができる。また、段ボール箱体における、引出部が備わる一の周面の、その引出部を挟む両側部分を形成する壁は、閉じた状態が維持される閉鎖壁となっている。したがって、この段ボール箱体の強度が保たれ、配線・配管材を引き出す力とか巻回束の自重等による段ボール箱体の変形を防ぐことができる。
【００１４】
また、請求項２に記載の発明に係る配線・配管材の梱包装置は、請求項１に記載の梱包装置において、前記引出部は、その引出部から手を挿入して前記配線・配管材の端部を掴み出すことが可能な大きさとなっている。これにより、引出部から段ボール箱体内に手を挿入してその段ボール箱体内に収容されている配線・配管材の端部を掴むことことで、その配線・配管材の端部を引出部から一層容易に取り出すことができる。
【００１５】
また、請求項３に記載の発明に係る配線・配管材の梱包装置は、周回状に巻回された配線・配管材の巻回束を梱包する梱包装置であって、前記巻回束をその巻回束の周方向に回動可能に収容する段ボール箱体を備える。この段ボール箱体は、前記巻回束の各側面と対向する二つの箱体側面と、前記巻回束の外周面と対向してその外周面の四側方を覆う各箱体周面とからなる。そして、その箱体周面のいずれか一の周面には、前記配線・配管材を、その端部から順に外に引き出すための引出部が備わる。ここで、前記引出部は、前記一の周面の、前記巻回束の回動軸心に直交する方向における一部分に設けられ、かつ、前記引出部は、その引出部から手を挿入して前記配線・配管材の端部を掴み出すことが可能な大きさとなっている。そして、前記一の周面の、前記引出部を除く部分を形成する壁は、閉じた状態が維持される閉鎖壁となっている。
【００１６】
こうして、この梱包装置は、段ボール箱体を備え、この段ボール箱体に、周回状に巻回された配線・配管材の巻回束が、その巻回束の周方向に回動可能に収容される。このように、巻回束となった配線・配管材は、段ボール箱体に収容されて、保管されたり運搬されたりする。そして、配線・配管材を配線または配管する場合には、段ボール箱体内の配線・配管材を、その端部から順に、段ボール箱体に形成された引出部を通して、外に引き出すが、この引き出しに伴って、段ボール箱体内の配線・配管材の巻回束が解かれるようにして回動する。ここで、引出部は、巻回束の外周面と対向してその外周面の四側方を覆う各箱体周面のいずれか一の周面の、前記巻回束の回動軸心に直交する方向における一部分に設けられ、かつ、その引出部から手を挿入して配線・配管材の端部を掴み出すことが可能な大きさとなっている。したがって、引出部から段ボール箱体内に手を挿入してその段ボール箱体内に収容されている配線・配管材の端部を掴むことことで、その配線・配管材の端部を引出部から容易に取り出すことができる。また、段ボール箱体における、引出部が備わる一の周面の、その引出部を除く部分を形成する壁は、閉じた状態が維持される閉鎖壁となっている。したがって、この段ボール箱体の強度が保たれ、配線・配管材を引き出す力とか巻回束の自重等による段ボール箱体の変形を防ぐことができる。
【００１７】
また、請求項４に記載の発明に係る配線・配管材の梱包装置は、１ないし３のいずれか１項に記載の梱包装置において、前記段ボール箱体は、矩形形状の六面体からなり、その六つの面が、二つの前記箱体側面と、四つの前記箱体周面とからなる。このように、この段ボール箱体は、矩形形状の六面体、すなわち直六面体であってもよい。
【００１８】
また、請求項５に記載の発明に係る配線・配管材の梱包装置は、請求項１ないし４のいずれか１項に記載の梱包装置において、前記引出部には、その引出部を開閉する蓋が設けられている。これにより、配線・配管材を段ボール箱体から引き出す際には、蓋を開状態とし、配線・配管材が収容された梱包装置を、保管したり運搬したりする際には、蓋を閉状態とすることで、段ボール箱体内へのゴミ等の侵入が阻止される。
【００１９】
また、請求項６に記載の発明に係る配線・配管材の梱包装置は、請求項５に記載の梱包装置において、前記一の周面には、前記蓋および前記閉鎖壁を形成すべく、前記箱体側面を形成する一方の側壁から延設されて折り曲げられる第１延設片と、前記箱体側面を形成する他方の側壁から延設されて折り曲げられ前記第１延設片の外側に重なる第２延設片とが備わる。そして、前記蓋と前記閉鎖壁とを区切るべく、前記第１延設片には、第１切込みが形成され、かつ、前記第２延設片には、第２切込みが形成される。こうして、前記蓋は、前記第１延設片側の第１蓋と、前記第２延設片側の第２蓋とを備えるとともに、前記閉鎖壁は、前記第１延設片側の第１閉鎖壁と、前記第２延設片側の第２閉鎖壁とを備える。ここで、前記第１切込みは、前記第２切込みよりも前記第２蓋側にずれた位置に設けられている。このように、第１延設片に形成された第１切込みと、第２延設片に形成された第２切込みとが、ずれた位置に設けられることから、蓋が閉状態のとき、すなわち、第１および第２蓋が閉状態のときに、第１および第２切込みを通ってゴミ等が段ボール箱体内に侵入することがない。そして、第１切込みは、第２切込みよりも第２蓋側にずれた位置に設けられることから、第２蓋よりも内側に位置する第１蓋の開閉を、第２閉鎖壁に妨げられることなく行なうことができる。
【００２０】
また、請求項７に記載の発明に係る配線・配管材の梱包装置は、請求項６に記載の梱包装置において、前記側壁には、前記蓋を閉状態に保持するために、前記第１蓋と前記第２蓋とを挟み込むクリップの一片が通される通孔部が設けられている。これにより、閉状態となった蓋に対して、側壁に形成された通孔部にクリップの一片を通すことで、その一片が第１蓋を内側から押え、そして、クリップの他片が第２蓋を外側から押える。こうして、このクリップが、一方の側壁から延設された第１蓋と他方の側壁から延設された第２蓋とを挟み込むこととなり、蓋の閉状態が保持され、ゴミ等の侵入が確実に阻止される。
【００２１】
また、請求項８に記載の発明に係る配線・配管材の梱包装置は、請求項５または６に記載の梱包装置において、前記段ボール箱体には、前記蓋の閉状態および開状態を保持するための保持手段が設けられている。こうして、保持手段によって、蓋の閉状態および開状態が保持されることから、蓋が閉状態のときには、ゴミ等の侵入がより確実に阻止され、また、蓋が開状態のときには、配線・配管材の引き出しを、この蓋に邪魔されることなく行なうことができる。
【００２２】
また、請求項９に記載の発明に係る配線・配管材の梱包装置は、請求項１ないし８のいずれか１項に記載の梱包装置において、前記配線・配管材は、架橋ポリエチレン等の合成樹脂材料からなる通水管であってもよい。これにより、架橋ポリエチレン等の合成樹脂材料からなる通水管が、段ボール箱体に収容されて、保管されたり運搬されたりする。そして、通水管を配管する場合には、段ボール箱体内の通水管を、その端部から順に、段ボール箱体に備わる引出部を通して、外に引き出す。
【００２３】
【発明の実施の形態】
以下、この発明に係る配線・配管材の梱包装置の実施の形態を図面に基づいて説明する。
【００２４】
図１ないし図１０は、本発明に係る配線・配管材の梱包装置を、配管材の梱包装置に適用した一実施の形態を示す。図中符号１は、例えば、配管材としての、架橋ポリエチレンあるいはポリブデン等の合成樹脂材料からなる、可撓性を備えた、給水管等の通水管である。２は、周回状に巻回された前記通水管１の巻回束１ａを梱包する梱包装置である。
【００２５】
この梱包装置２は、前記巻回束１ａをその巻回束１ａの周方向に回動可能に収容する、例えば紙製の段ボール箱体３を備える。この段ボール箱体３は、図１ないし図４に示すように、巻回束１ａの各側面１ｂ、１ｂと対向する二つの箱体側面３ａ、３ａと、巻回束１ａの外周面１ｃと対向してその外周面の四側方を覆う各箱体周面３ｂ、３ｂとからなる。詳細には、段ボール箱体３は、矩形形状の六面体、すなわち直六面体からなり、その六つの面が、二つの前記箱体側面３ａ、３ａと、四つの前記箱体周面３ｂ、３ｂとからなる。そして、箱体周面３ｂのいずれか一の周面Ｘには、通水管１を、その端部から順に外に引き出すための引出部３ｃが備わる。この引出部３ｃは、前記一の周面Ｘの、巻回束１ａの回動軸心Ｊに直交する方向における、一部分となる中央部分に設けられている。そして、図示実施の形態においては、引出部３ｃは、その引出部３ｃから手を挿入して通水管１の端部を掴み出すことが可能な大きさとなっている。ここで、この引出部３ｃには、その引出部３ｃを開閉する蓋３ｄが設けられている。また、前記一の周面Ｘの、引出部３ｃを除く部分を形成する壁、すなわち引出部３ｃを挟む両側部分を形成する壁は、閉じた状態が維持される閉鎖壁３ｅ、３ｅとなっている。
【００２６】
詳細には、段ボール箱体３における前記一の周面Ｘには、蓋３ｄおよび閉鎖壁３ｅ、３ｅを形成すべく、前記箱体側面３ａを形成する一方の側壁３ｆから延設されて折り曲げられる第１延設片３ｇと、前記箱体側面３ａを形成する他方の側壁３ｆから延設されて折り曲げられ第１延設片３ｇの外側に重なる第２延設片３ｈとが備わっている。そして、第１延設片３ｇは、前記他方の側壁３ｆにほぼ達するまで延びており、また、第２延設片３ｈは、前記一方の側壁３ｆにほぼ達するまで延びている。さらに、前記一の周面Ｘには、その一の周面Ｘに隣接する箱体周面３ｂを形成する周壁３ｉから若干延設されて折り曲げられ第１延設片３ｇの内側に重なる、第３延設片３ｊが備わっている。また、このとき、蓋３ｄと閉鎖壁３ｅとを区切るべく、第１延設片３ｇには、第１切込み３ｋ、３ｋが形成され、かつ、第２延設片３ｈには、第２切込み３ｍ、３ｍが形成されている。こうして、蓋３ｄは、第１延設片３ｇ側の第１蓋Ｌ１と、第２延設片３ｈ側の第２蓋Ｌ２とを備えるとともに、前記閉鎖壁３ｅは、第１延設片３ｇ側の第１閉鎖壁Ｗ１と、第２延設片３ｈ側の第２閉鎖壁Ｗ２とを備えることとなる。ここにおいて、第１切込み３ｋは、第２切込み３ｍよりも第２蓋Ｌ２側にずれた位置に設けられている。そして、図示実施の形態においては、閉鎖壁３ｅは、第１閉鎖壁Ｗ１および第２閉鎖壁Ｗ２に加えて、第３延設片３ｊによって形成されている。ところで、閉鎖壁３ｅは、第２閉鎖壁Ｗ２が一方の側壁３ｆに、粘着テープ等により接合されたり、第１閉鎖壁Ｗ１と第２閉鎖壁Ｗ２とが接着等により接合されたりして、閉じた状態が維持される。
【００２７】
また、段ボール箱体３には、蓋３ｄの閉状態および開状態を保持するための保持手段Ｈが設けられている。この保持手段Ｈは、クリップ４と側壁３ｆに形成された通孔部３ｎとからなる。具体的には、側壁３ｆには、蓋３ｄを閉状態に保持するために、第１蓋Ｌ１と第２蓋Ｌ２とを挟み込むクリップ４の一片４ａが通される前記通孔部３ｎが設けられている。つまり、閉状態となった蓋３ｄに対して、通孔部３ｎにクリップ４の一片４ａを通すことで、その一片４ａが第１蓋Ｌ１を内側から押さえ、そして、クリップ４の他片４ｂが、第２蓋Ｌ２を外側から押さえる。こうして、このクリップ４が、一方の側壁３ｆから延設された第１蓋Ｌ１と他方の側壁３ｆから延設された第２蓋Ｌ２とを挟み込むこととなり、蓋３ｄ（第１および第２蓋Ｌ１、Ｌ２）の閉状態が保持される（図３、図４参照）。一方、第１および第２蓋Ｌ１、Ｌ２を側壁３ｆ、３ｆから折り返して、開状態となった蓋３ｄに対して、クリップ４が、第１蓋Ｌ１（第２蓋Ｌ２）と側壁３ｆとを挟み込むことで、蓋３ｄ（第１および第２蓋Ｌ１、Ｌ２）の開状態が保持される（図１、図２参照）。なお、符号３ｐは、各側壁３ｆに明けられた貫通孔であり、この貫通孔３ｐに、後述する軸部材６が挿通される。
【００２８】
また、梱包装置２は、段ボール箱体３の他に、段ボール箱体３に収容されて、巻回束１ａを支える回動部材５と、回動部材５が巻回束１ａとともにその巻回束１ａの周方向に回動可能となるよう支持する軸部材６とを備えている。
【００２９】
ここで、回動部材５は、図５および図６に示すように、二つの分割体５ａ、５ａにより構成されている。図示実施の形態においては、これら二つの分割体５ａ、５ａは、同一の形状および同一の寸法からなる。そして、各分割体５ａは、巻回束１ａの各側面１ｂが段ボール箱体３の内壁面と摺接するのを防止する摺接防止部５ｂを有する側板部５ｃと、その側板部５ｃから突設されて巻回束１ａの中央空間１ｄに挿入される挿入部５ｄとを備えている。そして、二つの分割体５ａ、５ａは、巻回束１ａの側面１ｃ、１ｃの各側から挿入部５ｄ、５ｄが対向して前記中央空間１ｄに挿入されて、挿入部５ｄ、５ｄ同士が互いに他の挿入部５ｄを補強し合うように嵌め合わされることにより、互いに組み付けられる。また、こうして、二つの分割体５ａ、５ａは、互いに組み付けられることで、巻回束１ａに取り付けられる。
【００３０】
具体的には、分割体５ａは、段ボール板からなる。すなわち、この段ボール板によって側板部５ｃが形成され、また、挿入部５ｄは、側板部５ｃから延設されるよう、段ボール板が切り起されるようにして形成されている（図６、図７参照）。詳細には、挿入部５ｄは、側板部５ｃから相対面して突設される一対の対面板Ｐ、Ｐからなる。そして、回動部材５の二つの分割体５ａ、５ａにおいて、一対の対面板Ｐ、Ｐが、互いに他の一対の対面板Ｐ、Ｐを補強し合うように井桁状に嵌め合わされることで、挿入部５ｄの挿入方向に直交する断面において、巻回束１ａの回動軸心Ｊ、すなわち回動部材の回動軸心を囲むようにして閉鎖する枠体Ｙを形成している（図２参照）。また、二つの分割体５ａ、５ａの各挿入部５ｄ、５ｄには、互いに対応する位置にその挿入部５ｄの先端側から切り込まれたスリット５ｅ、５ｅが設けられている。そして、二つの分割体５ａ、５ａにおける挿入部５ｄ、５ｄは、両スリット５ｅ、５ｅ部分での嵌め合いにより掛かり合い、こうして、二つの分割体５ａ、５ａは、挿入部５ｄ、５ｄ同士が互いに他の挿入部５ｄを補強し合うように嵌め合わされる。なお、回動部材５（詳細には、分割体５ａ、５ａの側板部５ｃ、５ｃ）には、その回動軸心Ｊ部分に、軸孔５ｆ、５ｆが明けられている。
【００３１】
軸部材６は、図４に示すように、段ボール箱体３の側壁３ｆ、３ｆに、それら側壁３ｆ、３ｆ間が広がるのを防止するように取り付けられる。詳細には、軸部材６は、回動部材５に明けられた軸孔５ｆ、５ｆに挿通されるとともに、側壁３ｆ、３ｆ間が広がるのを防止すべく、両側壁３ｆ、３ｆに渡されるようにして取り付けられる。この軸部材６は、軸孔５ｆ、５ｆおよび各側壁３ｆ、３ｆに明けられた貫通孔３ｐ、３ｐに通される軸本体６ａと、その軸本体６ａの両端部分に設けられて側壁３ｆ、３ｆの外面と対向する鍔部６ｂとを備える。そして、軸本体６ａは、一方側の軸孔５ｆおよび貫通孔３ｐに通される、紙製の（例えば板紙からなる）第１の管材６ｃと、他方側の軸孔５ｆおよび貫通孔３ｐに通される、同じく紙製の（例えば板紙からなる）第２の管材６ｄと、それら第１および第２の管材６ｃ、６ｄを繋ぐ段ボール製の連設部６ｅとからなる。そして、図８および図９に示すように、この連設部６ｅは、段ボールからなる平板状の複数の板部材６ｆ、６ｆが組み付けられて形成されている。また、板部材６ｆ、６ｆには、その縁部から切り込まれたスリット６ｇ、６ｇが設けられており、それら板部材６ｆ、６ｆは、互いのスリット６ｇ、６ｇ部分での嵌め合いにより掛かり合って組み付けられている。一方、鍔部６ｂは、前記管材６ｃ、６ｄの端面に固着された、例えば円盤状の盤材６ｈの周縁部分によって形成されている。そして、図示実施の形態においては、盤材６ｈ、６ｈ、管材６ｃ、６ｄ、そして板部材６ｆ、６ｆは、接着により接合される。
【００３２】
なお、軸部材６は、段ボール箱体３（詳細には、側壁３ｆ、３ｆ）に固定されてもよく、回動部材５（詳細には、側板部５ｃ、５ｃ）に固定されてもよく、また、段ボール箱体３と回動部材５とのいずれにも固定されないようにしてもよい。すなわち、軸部材６が段ボール箱体３に固定される場合は、軸部材６と回動部材５との間で、相対的に回動し、そして、軸部材６が回動部材５に固定される場合には、軸部材６と段ボール箱体３との間で、相対的に回動する。そして、軸部材６が、段ボール箱体３と回動部材５とのいずれにも固定されない場合には、軸部材６と回動部材５との間、あるいは、軸部材６と段ボール箱体３との間で、相対的に回動する。
【００３３】
また、この梱包装置２は、通水管１を引き出すにあたって、縦置きにして（段ボール箱体３の側壁３ｆが縦になった状態で）用いられるが、このとき、図１に示すように、引出部３ｃが上方を向くようにして用いてもよく、また、図１０に示すように、引出部３ｃが横方向を向くようにして用いてもよい。そして、このように、梱包装置２が、縦置きで、かつ引出部３ｃが横方向を向く場合には、引出部３ｃが一の周面Ｘの中央部分に設けられることから、梱包装置２の上下を反転させることで、無理なく、通水管１を上方とか下方に引き出して配管することができる。したがって、この梱包装置２によって、状況に応じた配管が可能となる。
【００３４】
次に、以上の構成からなる梱包装置２の作用効果について説明する。この梱包装置２によると、段ボール箱体３に、周回状に巻回された通水管１の巻回束１ａが、その巻回束１ａの周方向に回動可能に収容される。このように、巻回束１ａとなった通水管１は、段ボール箱体３に収容されて、保管されたり運搬されたりする。そして、通水管１を配管する場合には、図１および図２、あるいは図１０に示すように、段ボール箱体３内の通水管１を、その端部から順に、段ボール箱体３に備わる引出部３ｃを通して、外に引き出すが、この引き出しに伴って、段ボール箱体３内の巻回束１ａが解かれるようにして回動する。ここで、引出部３ｃは、巻回束１ａの外周面１ｃと対向する四つの箱体周面３ｂ、３ｂのいずれか一の周面Ｘの、前記巻回束１ａの回動軸心Ｊに直交する方向における中央部分に設けられている。したがって、通水管１は、巻回束１ａから離れて引出部３ｃに至る距離が短く、段ボール箱体３内に収容されている通水管１の端部を引出部３ｃから容易に取り出すことができる。そして、通水管１を、引出部３ｃを通して順次引き出したり、反対に押し戻す際には、通水管１が巻回束１ａから離れて引出部３ｃに至る距離が短いため、その間で通水管１が踊ったり撓んだりするのを防ぐことができる。さらに、引出部３ｃが、一の周面Ｘの中央部分に設けられることから、引出部３ｃから巻回束１ａまでの距離が短く、巻回束１ａを結束するバインド等の結束線（図示せず）を、引出部３ｃを通して簡単に切断することができる。また、段ボール箱体３における、引出部３ｃが備わる一の周面Ｘの、その引出部３ｃを挟む両側部分を形成する壁は、閉じた状態が維持される閉鎖壁３ｅ、３ｅとなっている。したがって、この閉鎖壁３ｅ、３ｅによって、側壁３ｆ、３ｆ間が広がるのが防止されて、段ボール箱体３の強度が保たれ、通水管１を引き出す力とか通水管１を押し戻す力とか巻回束１ａの自重等による段ボール箱体３の変形を防ぐことができる。
【００３５】
このように、この梱包装置２によると、引出部３ｃが、段ボール箱体３の一の周面Ｘの中央部分に設けられることから、通水管１の端部を引出部３ｃから容易に取り出すことができるとともに、段ボール箱体３内で、通水管１が踊ったり撓んだりするのを防ぐことができ、しかも、閉鎖壁３ｅ、３ｅによって、段ボール箱体３の変形を防ぐことができる。したがって、この梱包装置２により、通水管１の引き出し作業とか押し戻し作業を確実に行うことができる。そして、このようにして、段ボール箱体３から引き出された通水管１は、例えば、予め所定の配管経路に沿って配備された鞘管内に挿通されるようにして配管される。ここで、前述のように、通水管１の引き出し作業が確実に行なわれることから、この通水管１の配管作業が容易となる。
【００３６】
また、図示実施の形態においては、引出部３ｃが大きく形成されており、引出部３ｃから段ボール箱体３内に手を挿入してその段ボール箱体３内に収容されている通水管１の端部を掴み、その通水管１の端部を引出部３ｃから容易に取り出すことができる。さらに、図示実施の形態においては、軸部材６によっても、側壁３ｆ、３ｆ間が広がるのを防止して段ボール箱体３の変形を防ぐことができ、このことによっても、通水管１の引き出し作業とか押し戻し作業を確実に行うことができ、同様にして、通水管１の配管作業が容易となる。
【００３７】
また、引出部３ｃには、その引出部３ｃを開閉する蓋３ｄ（詳細には、第１および第２蓋Ｌ１、Ｌ２）が設けられているので、通水管１を段ボール箱体３から引き出す際には、蓋３ｄを開状態とするが、通水管１が収容された梱包装置２を、保管したり運搬したりする際には、蓋３ｄを閉状態とすることで、段ボール箱体３内へのゴミ等の侵入を阻止することができる。しかも、第１延設片３ｇに形成された第１切込み３ｋと、第２延設片３ｈに形成された第２切込み３ｍとが、ずれた位置に設けられることから、蓋３ｄが閉状態のとき、すなわち、第１および第２蓋Ｌ１、Ｌ２が閉状態のときに、第１および第２切込み３ｋ、３ｍを通ってゴミ等が段ボール箱体３内に侵入することがなく、この段ボール箱体３内へのゴミ等の侵入を確実に阻止することができる。そして、第１切込み３ｋは、第２切込み３ｍよりも第２蓋Ｌ２側にずれた位置に設けられることから、第２蓋Ｌ２よりも内側に位置する第１蓋Ｌ１の開閉を、第２閉鎖壁Ｗ２に妨げられることなく行なうことができる。
【００３８】
そして、保持手段Ｈ（詳細には、クリップ４等）によって、蓋３ｄの閉状態（図３、図４参照）および開状態（図１、図２参照）が保持されることから、蓋３ｄが閉状態のときには、ゴミ等の侵入を一層確実に阻止することができる。また、蓋３ｄが開状態のときには、通水管１の引き出しを、この蓋３ｄに邪魔されることなく行なうことができる。
【００３９】
また、回動部材５は、二つの分割体５ａ、５ａが、それら分割体５ａ、５ａに設けられたスリット５ｅ、５ｅ部分での嵌め合いにより掛かり合うことで、確実に組み付けられる。また、軸部材６においても、複数の板部材６ｆ、６ｆは、それら板部材６ｆ、６ｆに設けられたスリット６ｇ、６ｇ部分での嵌め合いにより掛かり合うことで、確実に組み付けられる。
【００４０】
また、回動部材５における軸孔５ｆ、５ｆが、段ボール箱体３の側壁３ｆ、３ｆに隣接する側板部５ｃ、５ｃに明けられることで、この軸孔５ｆ、５ｆと側壁３ｆ、３ｆに明けられた貫通孔３ｐ、３ｐとは近接する。そして、この近接する軸孔５ｆ、５ｆと貫通孔３ｐ、３ｐとに、紙製の管材６ｃ、６ｄが通され、それら管材６ｃ、６ｄが、段ボール製の連設部６ｅによって繋がれる。このように、近接する軸孔５ｆ、５ｆと貫通孔３ｐ、３ｐとに通される両管材６ｃ、６ｄが、連設部６ｅによって繋がれることで、管材６ｃ、６ｄの長さを短くすることができる。そして、この梱包装置２を使用後に廃棄する場合には、軸本体６ａにおいては、紙製の管材６ｃ、６ｄを段ボール製の連設部６ｅから取り外せば、嵩張ることがなく、この軸本体６ａ、ひいては軸部材６を、容易に廃棄することができる。しかも、軸本体６ａにおける連設部６ｅを各板部材６ｆ、６ｆに分離することで、軸本体６ａは、一層嵩張ることがなく、軸本体６ａ、ひいては軸部材６を、一層容易に廃棄することができる。
【００４１】
なお、本発明は、上述した実施の形態に限定されるわけではなく、その他種々の変更が可能である。例えば、引出部３ｃは、箱体周面３ｂ、３ｂの一の周面Ｘの、巻回束１ａの回動軸心Ｊに直交する方向における中央部分に設けられていれば、その引出部３ｃから手を挿入して通水管１の端部を掴み出すことが可能な大きさとなっていなくともよい。
【００４２】
また、引出部３ｃは、箱体周面３ｂ、３ｂの、一の周面Ｘの、巻回束１ａの回動軸心Ｊに直交する方向における中央部分に設けられなくとも、図１１に示すように、巻回束１ａの回動軸心Ｊに直交する方向における一部分、例えば側方部分に設けられてもよい。そして、この場合には、引出部３ｃは、その引出部３ｃから手を挿入して通水管１の端部を掴み出すことが可能な大きさとなるのが望ましい。このように、引出部３ｃの大きさを確保することで、引出部３ｃから段ボール箱体３内に手を挿入してその段ボール箱体３内に収容されている通水管１の端部を掴み、その通水管１の端部を引出部３ｃから容易に取り出すことができる。そして、段ボール箱体３における、引出部３ｃが備わる一の周面Ｘの、その引出部３ｃを除く部分を形成する壁は、閉じた状態が維持される閉鎖壁３ｅとなっている。したがって、この閉鎖壁３ｅによって、側壁３ｆ、３ｆ間が広がるのが防止されて、段ボール箱体３の強度が保たれ、通水管１を引き出す力とか巻回束１ａの自重等による段ボール箱体３の変形を防ぐことができる。このように、引出部３ｃが、その引出部３ｃから手を挿入して通水管１の端部を掴み出すことが可能な大きさとなっていることから、通水管１の端部を引出部３ｃから容易に取り出すことができ、しかも、閉鎖壁３ｅによって、段ボール箱体３の変形を防ぐことができるので、通水管１の引き出し作業を確実に行うことができ、この通水管１の配管作業を容易に行なうことができる。
【００４３】
また、以上において、引出部３ｃが、その引出部３ｃから手を挿入して通水管１の端部を掴み出すことが可能な大きさとなる場合には、その引出部３ｃの大きさによって制限される閉鎖壁３ｅの大きさは、側壁３ｆ、３ｆ間が広がるのを防止する機能を備えた大きさとなっているのが好ましい。すなわち、この範囲で、引出部３ｃの大きさを決定する必要がある。具体的には、引出部３ｃは、巻回束１ａの回動軸心Ｊに直交する方向における長さが、一の周面Ｘの長さの８割以下（例えば、一の周面Ｘの長さが７４ｃｍに対して、引出部の長さが５９ｃｍ以下）となるのが好ましい。もっとも、引出部３ｃは、その引出部３ｃから手を挿入して通水管１の端部を掴み出すことが可能な大きさとなる、その範囲内で、極力小さいのが望ましい。すなわち、段ボール箱体３の強度を高めるために、引出部３ｃは、手を挿入して配線・配管材である通水管１の端部を掴み出すことが可能な必要最少限度の大きさ、つまり手がちょうど入る大きさとなっているのが望ましい。
【００４４】
また、箱体周面３ｂは、全体に渡って平面となっていなくとも、隣接する箱体周面３ｂと交わるコーナー部がアール状に湾曲していてもよく、また、全体が曲面となっていてもよく、さらには、凹凸状、例えば波打つように形成された面であってもよい。また、箱体周面３ｂは、屈曲して形成される複数の面からなっていてもよい。すなわち、各箱体周面３ｂ、３ｂによって形成される全周面からなる枠形状は、四角形となっていなくとも、四角以外の多角形となっていてもよい。また、箱体周面３ｂは、段ボール箱体３において、例えば、載置側、すなわち下面側となる一つの箱体周面３ｂが、平面となり、他の箱体周面３ｂが曲面となるように、必ずしも全てが同じ形状となっていなくともよい。
【００４５】
また、引出部３ｃには、その引出部３ｃを開閉する蓋３ｄが設けられているが、この蓋３ｄは無くともよい。
【００４６】
また、蓋３ｄを閉状態および開状態に保持するための保持手段Ｈとして、クリップ４が用いられるが、このクリップ４の代わりに、例えば、蓋３ｄと側壁３ｆに、止め部を設け、それら止め部間に紐等の掛渡し材を掛け渡すようにしてもよい。
【００４７】
また、この梱包装置２は、通水管１を引き出すにあたって、縦置きにして（段ボール箱体３の側壁３ｆが縦になった状態で）用いてもよいが、横置きにして（段ボール箱体３の側壁３ｆが横になった状態で）用いても勿論よい。
【００４８】
また、この梱包装置２は、通水管１等の配管材を梱包する梱包装置に用いられなくとも、配線材を梱包する梱包装置に用いられてもよい。
【００４９】
【発明の効果】
以上、詳述したところから明らかなように、この発明に係る配線・配管材の梱包装置によれば、次の効果がある。
【００５０】
請求項１に記載された配線・配管材の梱包装置によれば、引出部が、段ボール箱体の一の周面の中央部分に設けられることから、配線・配管材の端部を引出部から容易に取り出すことができるとともに、段ボール箱体内で、配線・配管材が踊ったり撓んだりするのを防ぐことができ、しかも、閉鎖壁によって、段ボール箱体の変形を防ぐことができるので、配線・配管材の引き出し作業とか押し戻し作業を確実に行うことができる。
【００５１】
また、請求項２に記載された配線・配管材の梱包装置によれば、請求項１の効果に加えて、引出部が、その引出部から手を挿入して配線・配管材の端部を掴み出すことが可能な大きさとなっていることから、配線・配管材の端部を引出部から一層容易に取り出すことができる。
【００５２】
また、請求項３に記載された配線・配管材の梱包装置によれば、引出部が、その引出部から手を挿入して配線・配管材の端部を掴み出すことが可能な大きさとなっていることから、配線・配管材の端部を引出部から容易に取り出すことができ、しかも、閉鎖壁によって、段ボール箱体の変形を防ぐことができるので、配線・配管材の引き出し作業を確実に行うことができる。
【００５３】
また、請求項４に記載された配線・配管材の梱包装置によれば、請求項１ないし３のいずれか１項の効果に加えて、この梱包装置を、直六面体の段ボール箱体に適用することができる。
【００５４】
また、請求項５に記載された配線・配管材の梱包装置によれば、請求項１ないし４のいずれか１項の効果に加えて、引出部を開閉する蓋が設けられているので、配線・配管材が収容された梱包装置を保管したり運搬したりする際に、段ボール箱体内へのゴミ等の侵入を阻止することができる。
【００５５】
また、請求項６に記載された配線・配管材の梱包装置によれば、請求項５の効果に加えて、蓋を形成するための、第１切込みと第２切込みとが、ずれた位置に設けられることから、段ボール箱体内へのゴミ等の侵入を確実に阻止することができる。
【００５６】
また、請求項７に記載された配線・配管材の梱包装置によれば、請求項６の効果に加えて、側壁に設けられた通孔部に、クリップの一片を通すようにして、そのクリップによって第１蓋と第２蓋とを挟み込むことで、蓋の閉状態を保持することができ、段ボール箱体内へのゴミ等の侵入を一層確実に阻止することができる。
【００５７】
また、請求項８に記載された配線・配管材の梱包装置によれば、請求項５または６の効果に加えて、保持手段によって、蓋が閉状態のときには、段ボール箱体内へのゴミ等の侵入をより確実に阻止することができ、また、蓋が開状態のときには、この蓋に邪魔されることなく、配線・配管材を引き出すことができる。
【００５８】
また、請求項９に記載された配線・配管材の梱包装置によれば、請求項１ないし８のいずれか１項の効果に加えて、通水管を、段ボール箱体に収容して、保管したり運搬したりすることができ、かつ、通水管を配管する場合には、通水管を、段ボール箱体の外に、引出部を通して引き出すことができる。
【図面の簡単な説明】
【図１】この発明に係る配線・配管材の梱包装置の一実施の形態の、蓋を開状態としたときの斜視図である。
【図２】同じく、図１におけるＡ−Ａ線による断面図である。
【図３】同じく、蓋を閉状態としたときの斜視図である。
【図４】同じく、図３におけるＢ−Ｂ線による断面図である。
【図５】同じく、回動体の斜視図である。
【図６】同じく、回動体の分解斜視図である。
【図７】同じく、回動体における、分割体の展開図である。
【図８】同じく、軸部材の斜視図である。
【図９】同じく、軸部材の分解斜視図である。
【図１０】同じく、梱包装置の姿勢を変えた例を示す、図１相当図である。
【図１１】この発明に係る配線・配管材の梱包装置の他の実施の形態の、蓋を開状態としたときの斜視図である。
【図１２】従来の、梱包装置を示す斜視図である。
【図１３】従来の、他の梱包装置を示す断面図である。
【符号の説明】
１  通水管（配線・配管材）        １ａ  巻回束
１ｂ  側面                        １ｃ  外周面
２  梱包装置                      ３  段ボール箱体
３ａ  箱体側面                    ３ｂ  箱体周面
３ｃ  引出部                      ３ｄ  蓋
３ｅ  閉鎖壁                      ３ｆ  側壁
３ｇ  第１延設片                  ３ｈ  第２延設片
３ｋ  第１切込み                  ３ｍ  第２切込み
３ｎ  通孔部                      ４  クリップ
４ａ  一片
Ｘ  一の周面                      Ｊ  回動軸心
Ｌ１  第１蓋                      Ｌ２  第２蓋
Ｗ１  第１閉鎖壁                  Ｗ２  第２閉鎖壁
Ｈ  保持手段
【図１】
2004203392.tif 000003
【図２】
2004203392.tif 000004
【図３】
2004203392.tif 000005
【図４】
2004203392.tif 000006
【図５】
2004203392.tif 000007
【図６】
2004203392.tif 000008
【図７】
2004203392.tif 000009
【図８】
2004203392.tif 000010
【図９】
2004203392.tif 000011
【図１０】
2004203392.tif 000012
【図１１】
2004203392.tif 000013
【図１２】
2004203392.tif 000014
【図１３】
2004203392.tif 000015